(57)【要約】  一対の狭持片（１Ａ，１Ｂ）は、互いに連結され、連結された部分を中心に開閉可能である。押圧部（２Ａ，２Ｂ）は、各狭持片（１Ａ，１Ｂ）の端部に、互いに向かい合うようにして形成されている。弾性部材（３）は、各押圧部（２Ａ，２Ｂ）が当接する方向に、一対の狭持片（１Ａ，１Ｂ）を付勢する。操作部（４Ａ，４Ｂ）は、一対の狭持片（１Ａ，１Ｂ）を開く方向に操作する。各押圧部（２Ａ，２Ｂ）が、四足歩行のほ乳類のラストリブとタックアップとの間の筋肉を狭持可能な大きさを有する。
2017209003.tif 000002
【特許請求の範囲】
【請求項１】
互いに連結され、連結された部分を中心に開閉可能で、ほ乳類の体を狭持する一対の狭持片と、
前記各狭持片に、互いに向かい合うようにして形成された一対の押圧部と、
前記各押圧部が当接する方向に、前記一対の狭持片を付勢する弾性部材と、
を備え、
前記各押圧部が、
四足歩行のほ乳類のラストリブとタックアップとの間の筋肉を押圧可能な大きさを有する狭持具。
【請求項２】
前記各押圧部が、
前記ほ乳類の首の後ろの筋肉を狭持可能である、
請求項１に記載の狭持具。
【請求項３】
前記各押圧部が、球形である、
請求項１又は２に記載の狭持具。
【請求項４】
前記各押圧部として、前記狭持片に対して脱着可能で、かつ、形状が異なる押圧部を複数有する、
請求項１から３のいずれか一項に記載の狭持具。
【請求項５】
前記一対の押圧部のそれぞれは、
前記各狭持片の中腹から突き出して、ほ乳類のラストリブとタックアップとの間の筋肉を押圧する、
請求項１から３のいずれか一項に記載の狭持具。
【請求項６】
前記弾性部材は、ピンチリング又はトーションバネである、
請求項１から５のいずれか一項に記載の狭持具。
【請求項７】
前記一対の狭持片を開く方向に操作する操作部を備える、
請求項１から６のいずれか一項に記載の狭持具。
【請求項８】
四足歩行のほ乳類のラストリブとタックアップとの間の筋肉を両側から狭持具で狭持して押圧する第１のステップと、
前記狭持具で狭持された状態で、前記ほ乳類を取り扱う第２のステップと、
を含む動物の取り扱い方法。
【請求項９】
前記第１のステップでは、
前記狭持具で狭持された状態で、前記ほ乳類を落ち着かせた後に、前記ほ乳類の首の後ろの筋肉を狭持具で狭持する、
請求項８に記載の動物の取り扱い方法。
【発明の詳細な説明】
【技術分野】
【０００１】
本発明は、狭持具及び動物の取り扱い方法に関する。
【背景技術】
【０００２】
ペットを落ち着かせたいときに落ち着かせることができれば、飼い主にとってこんなにうれしいことはない。そのような観点から、ペットをリラックスさせるためのペットのマッサージ器具等が開示されている（例えば、特許文献１等参照）。
【先行技術文献】
【特許文献】
【０００３】
【特許文献１】特開２０１４−５４３１０号公報
【発明の概要】
【発明が解決しようとする課題】
【０００４】
しかしながら、ペットをすぐに落ち着かせることができるような器具はいまだ作成されておらず、そのような器具の開発に試行錯誤が繰り返されている。【０００５】
本発明は、上記実情に鑑みてなされたものであり、四足歩行のほ乳類を容易に落ち着かせることができる狭持具及び動物の取り扱い方法を提供することを目的とする。
【課題を解決するための手段】
【０００６】
上記目的を達成するために、本発明の第１の観点に係る狭持具は、
互いに連結され、連結された部分を中心に開閉可能で、ほ乳類の体を狭持する一対の狭持片と、
前記各狭持片に、互いに向かい合うようにして形成された一対の押圧部と、
前記各押圧部が当接する方向に、前記一対の狭持片を付勢する弾性部材と、
を備え、
前記各押圧部が、
四足歩行のほ乳類のラストリブとタックアップとの間の筋肉を押圧可能な大きさを有する。【０００７】
この場合、前記各押圧部が、
前記ほ乳類の首の後ろの筋肉を狭持可能である、
こととしてもよい。【０００８】
前記各押圧部が、球形である、
こととしてもよい。【０００９】
前記各押圧部として、前記狭持片に対して脱着可能で、かつ、形状が異なる押圧部を複数有する、
こととしてもよい。【００１０】
前記一対の押圧部のそれぞれは、
前記各狭持片の中腹から突き出して、ほ乳類のラストリブとタックアップとの間の筋肉を押圧する、
こととしてもよい。【００１１】
前記弾性部材は、ピンチリング又はトーションバネである、
こととしてもよい。【００１２】
前記一対の狭持片を開く方向に操作する操作部を備える、
こととしてもよい。【００１３】
本発明の第２の観点に係る動物の取り扱い方法は、
四足歩行のほ乳類のラストリブとタックアップとの間の筋肉を両側から狭持具で狭持して押圧する第１のステップと、
前記狭持具で狭持された状態で、前記ほ乳類を取り扱う第２のステップと、
を含む。【００１４】
前記第１のステップでは、
前記狭持具で狭持された状態で、前記ほ乳類を落ち着かせた後に、前記ほ乳類の首の後ろの筋肉を狭持具で狭持する、
こととしてもよい。
【発明の効果】
【００１５】
四足歩行のほ乳類が交尾を行う際には、雄が雌の上に乗って、ラストリブとタックアップとの間を前足で押さえ（両前足で挟み込み）、雌を落ち着かせるのが一般的である。これは、逆に言えば、ラストリブとタックアップとの間を抑えれば、四足歩行のほ乳類を落ち着かせることができることを示している。本発明によれば、このことを利用して、ラストリブとタックアップとの間を押圧するので、四足歩行のほ乳類を容易に落ち着かせることができる。
【図面の簡単な説明】
【００１６】
【図１】本発明の実施の形態１に係る狭持具の構成を示す図である。
【図２】図１の狭持具を操作する様子を示す図である。
【図３】四足歩行のほ乳類における押圧する部分を示す図である。
【図４】動物の取り扱い方法の流れを示すフローチャートである。
【図５】図１の狭持具を装着した様子を示す図である。
【図６Ａ】狭持具が装着されていない状態での心拍数及び呼吸数の変化を示す図である。
【図６Ｂ】狭持具が装着された状態での心拍数及び呼吸数の変化を示す図である。
【図７】本発明の実施の形態２に係る狭持具の構成を示す図である。
【図８】図７の狭持具の弾性部材を示す図である。
【図９】本発明の実施の形態３に係る狭持具の構成（その１）を示す図である。
【図１０】本発明の実施の形態３に係る狭持具の構成（その２）を示す図である。
【図１１】本発明の実施の形態３に係る狭持具の構成（その３）を示す図である。
【図１２】本発明の実施の形態４に係る狭持具の構成を示す図である。
【図１３】図１２の狭持具を犬に装着した状態を示す図である。
【発明を実施するための形態】
【００１７】
以下、本発明の実施の形態について、図面を参照して詳細に説明する。
【００１８】
実施の形態１．
図１に示すように、本実施の形態１に係る狭持具１００は、一対の狭持片１Ａ，１Ｂと、押圧部２Ａ，２Ｂと、弾性部材３と、操作部４Ａ，４Ｂとを備える。本実施の形態では、四足歩行するほ乳類として犬を対象とする。
【００１９】
一対の狭持片１Ａ，１Ｂは、回転軸１０を介して互いに連結されている。狭持片１Ａ，１Ｂは、回転軸１０を中心に、一方が他方に対して相対的に回転可能であり、狭持片１Ａ，１Ｂ間を開閉可能となっている。一対の狭持片１Ａ，１Ｂは、例えば樹脂等で形成されている。
【００２０】
また、一対の狭持片１Ａ，１Ｂの端部には、互いに向かい合うようにして形成された一対の押圧部２Ａ，２Ｂが設けられている。押圧部２Ａ，２Ｂは、犬の体を押圧する部分であり、本実施の形態では球状となっている。一対の押圧部２Ａ，２Ｂも、例えば樹脂で形成されている。
【００２１】
また、一対の狭持片１Ａ，１Ｂにおいて、押圧部２Ａ，２Ｂが設けられていない他の端部には、操作部４Ａ，４Ｂが設けられている。図２に示すように、操作部４Ａ，４Ｂは、一対の狭持片１Ａ，１Ｂを開く方向に操作可能である。操作部４Ａ，４Ｂがあれば、狭持具１００を操作し易くなる。
【００２２】
弾性部材３は、各押圧部２Ａ，２Ｂが当接する方向に、一対の狭持片１Ａ，１Ｂを付勢する。この弾性部材３により、操作部４Ａ，４Ｂで操作しない状態では、図１に示すように、押圧部２Ａ，２Ｂ同士が当接する状態となる。弾性部材３の弾性力は、押圧部２Ａ，２Ｂにおいて上記筋肉を押圧する力（犬の体を狭持する力）が適切な大きさとなるように設定されている。本実施の形態では、弾性部材３は、ピンチリングである。
【００２３】
本実施の形態に係る動物の取り扱い方法では、図３に示すように、本実施の形態に係る狭持具１００を用いて、四足歩行のほ乳類のラストリブとタックアップとの間の筋肉（斜線で示される部分Ｌ）を両側から狭持して刺激する。その部分Ｌに刺激を与えられた犬は、一般的に服従行動をとり、落ち着くようになる。
【００２４】
次に、本実施の形態に係る犬の取り扱い方法について説明する。
【００２５】
まず、図４に示すように、四足歩行のほ乳類のラストリブとタックアップとの間の筋肉を両側から狭持して狭持具１００で押圧する（ステップＳ１；第１のステップ）。犬が交尾を行う際には、雄が雌の上に乗って、ラストリブとタックアップとの間を両前足で押さえ、雌を落ち着かせるのが一般的である。そこで、ここではその原理を利用し、図５に示すように、狭持具１００を用いて、ラストリブとタックアップとの間の部分Ｌを狭持して押圧し、刺激を与え、犬を落ち着かせることができる。
【００２６】
続いて、狭持具１００で押圧された犬が落ち着いた状態で、犬を取り扱う（ステップＳ２；第２のステップ）。犬の取り扱いには、例えば、トリミングや、訓練などがある。
【００２７】
ここで、大型犬、小型犬等様々な犬を対象として、狭持具１００なしの場合と、狭持具１００を装着した場合との違いを比較した。図６Ａには、狭持具１００が装着されていない状態での心拍数及び呼吸数の変化が示されている。また、図６Ｂには、狭持具１００を装着された状態での心拍数及び呼吸数の変化が示されている。図６Ａ及び図６Ｂにおいて、折れ線は、心拍数及び呼吸数の平均値を示し、縦線は標準偏差を示している。また、時間軸におけるＰｒｅは計時直前の状態を示す。
【００２８】
図６Ａに示すように、狭持具１００が装着されていない状態では、３０分間における心拍数の平均は１２０回／分から１００回／分に変化しており、呼吸数の平均は、７５回／分から７０回／分に変化している。一方、図６Ｂに示すように、狭持具１００が装着されている状態では、３０分間における心拍数の平均は１３０回／分から１００回／分に低下しており、呼吸数の平均は、４５回／分から３０回／分に変化している。したがって、狭持具１００を装着した方が、３０分間における心拍数及び呼吸数の低下量は大きくなっており、狭持具１００の装着が動物をより落ち着かせていることが明らかとなった。
【００２９】
以上詳細に説明したように、本実施の形態によれば、ラストリブとタックアップとの間を抑えれば、四足歩行のほ乳類を落ち着かせることができることを示している。本実施の形態によれば、このことを利用して、ラストリブとタックアップとの間を押圧するので、四足歩行のほ乳類を容易に落ち着かせることができる。
【００３０】
実施の形態２．
図７に示すように、本実施の形態に係る狭持具１０１は、上記実施の形態１に係る狭持具１００と構成はほぼ同じである。なお、本実施の形態では、押圧部２Ａ，２Ｂは、狭持片１Ａ，１Ｂに対して脱着可能となっており、図７では、押圧部はセットされていない。図８に示すように、狭持具１０１は、弾性部材３の代わりに、弾性部材１３を用いている点が上記実施の形態１に係る狭持具１００と異なる。
【００３１】
弾性部材１３は、トーションバネである。弾性部材１３を用いれば、外にバネが露出することがないので、器具全体の小型化を図ることができるうえ、見栄えを良くすることができる。
【００３２】
実施の形態３．
図９、図１０、図１１に示すように、本実施の形態に係る狭持具１０２は、押圧部２Ａ，２Ｂの代わりに、押圧部１２Ａ，１２Ｂ、２２Ａ，２２Ｂ、３２Ａ，３２Ｂを備える。押圧部１２Ａ，１２Ｂでは、押圧する部分が小さくなっており、押圧部２２Ａ，２２Ｂでは、全体が球形となっており、押圧部３２Ａ，３２Ｂでは、全体が卵形となっている。押圧部１２Ａ，１２Ｂ、２２Ａ，２２Ｂ、３２Ａ，３２Ｂは、いずれも狭持片１Ａ，１Ｂに対して脱着可能となっており、付け替え可能である。押圧する部分の面積、形状が異なる押圧部を揃えれば、押圧部を付け替えることにより押圧力を調整することができるので、対象となる動物に最も適した押圧部を選択し、リラックス効果をより高めることができる。
【００３３】
実施の形態４．
上記各実施の形態に係る狭持具１００〜１０２は、各狭持片１Ａ，１Ｂの先端に押圧部を取り付けるものであった。しかしながら、本実施の形態に係る狭持具１０３は、押圧部４２Ａ，４２Ｂを備えるが、図１２に示すように、押圧部４２Ａ，４２Ｂは、各狭持片１Ａ，１Ｂの中腹から突き出している。押圧部４２Ａ，４２Ｂは、図１３に示すように、犬のラストリブとタックアップとの間の筋肉を押圧する。
【００３４】
本実施の形態によれば、押圧部４２Ａ，４２Ｂは、各狭持片１Ａ，１Ｂの中腹から突き出す形状とすることで、押圧部４２Ａ，４２Ｂで犬のラストリブとタックアップとの間の筋肉を押圧するとともに、狭持片１Ａ，１Ｂで、犬の胴体を狭持し、器具全体を安定して犬の体に固定することができる。
【００３５】
なお、狭持片１Ａ，１Ｂにおける押圧部４２Ａ，４２Ｂを変更可能とし、押圧部４２Ａ，４２Ｂの位置を、対象となる犬の体型に合わせることができる。
【００３６】
上記実施の形態３、４に係る狭持具１０２、１０３のように、操作部４Ａ，４Ｂはなくてもよい。このようにすれば、操作部４Ａ，４Ｂが、何かにぶつかって狭持具１０２，１０３が犬の胴体から外れたりするのを防止することができる。また、器具のデザイン性も向上することができる。
【００３７】
四足歩行のほ乳類には、犬の他、猫、馬、牛など、様々な動物があり、それらの動物にも本実施の形態に係る狭持具１００を適用することができる。この場合、狭持具１００の大きさは、その動物の体の大きさに応じたものとなる。例えば、犬であっても、大型犬と小型犬との間では、狭持具１００の大きさは異なる。
【００３８】
また、ラストリブとタックアップとの間に限らず、首の後ろを挟む場合にも、狭持具１００を用いることができる。首の後ろの部分は、子供の頃に親に噛まれて運ばれる部分であり、この部分を刺激されると、子供がおとなしくなるためである。しかしながら、首の後ろは口に近いため、興奮した動物に対しては、まず、ラストリブとタックアップとの間に狭持具１００を装着させ、落ち着かせてから、首の後ろにも狭持具１００を装着するようにするのが望ましい。
【００３９】
なお、本実施の形態では、犬のトリミングを行う場合について説明したが、本発明はこれには限られない。例えば、単に飼い主がペットを落ち着かせて、寝かせたり遊んだりするだけでもよい。
【００４０】
また、本実施の形態に係る狭持具１００は、回転軸１０を中心に、一対の狭持片１Ａ，１Ｂを開閉するものであったが、本発明はこれには限られない。例えば、一対の狭持片１Ａ，１Ｂは、弾性部材３で連結されるものであってもよいし、一体に成形されたものであってもよい。
【００４１】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【００４２】
なお、本願については、２０１６年５月３１日に出願された日本国特許出願２０１６−１０８８５８号を基礎とする優先権を主張し、本明細書中に日本国特許出願２０１６−１０８８５８号の明細書、特許請求の範囲、図面全体を参照として取り込むものとする。
【産業上の利用可能性】
【００４３】
本発明は、四足歩行のほ乳類を落ち着かせるのに用いることができる。
【符号の説明】
【００４４】
１Ａ，１Ｂ  狭持片、２Ａ，２Ｂ  押圧部、３  弾性部材、４Ａ，４Ｂ  操作部、１０  回転軸、１２Ａ，１２Ｂ  押圧部、１３  弾性部材、２２Ａ，２２Ｂ  押圧部、３２Ａ，３２Ｂ  押圧部、４２Ａ，４２Ｂ  押圧部、１００，１０１，１０２，１０３  狭持具、Ｌ  部分
【図１】
2017209003.tif 000003
【図２】
2017209003.tif 000004
【図３】
2017209003.tif 000005
【図４】
2017209003.tif 000006
【図５】
2017209003.tif 000007
【図６Ａ】
2017209003.tif 000008
【図６Ｂ】
2017209003.tif 000009
【図７】
2017209003.tif 000010
【図８】
2017209003.tif 000011
【図９】
2017209003.tif 000012
【図１０】
2017209003.tif 000013
【図１１】
2017209003.tif 000014
【図１２】
2017209003.tif 000015
【図１３】
2017209003.tif 000016
【国際調査報告】
2017209003.tif 000017
2017209003.tif 000018
2017209003.tif 000019
2017209003.tif 000020